(57)【要約】      （修正有）【課題】加水量のバラツキによる炊き上がりへの影響を補正して、最適な炊飯結果に近づけることで、美味しいご飯を炊き上げることができる炊飯器を提供すること。【解決手段】制御手段は、加熱手段を動作させて予熱工程を行い（Ｓ３）、次に、加熱手段の電力量を上げて、内釜内の温度を上げるとともに、内釜温度検知手段で内釜底面の温度検知を開始、内釜温度検知手段で検知された温度が６０℃になった時点でタイマーにより計時を開始し、７５℃になった時点で終了させることで、６０℃から７５℃になるまでの時間を測定する（Ｓ４）。測定した時間が２分を超えるか否か（Ｓ５）、及び、３分未満か否かを判断する（Ｓ６）。その結果に応じて標準通電を補正し（Ｓ７，Ｓ８，Ｓ９）、その後の沸騰維持工程（Ｓ１０）での通電時間を決定する。【選択図】図９
2020130944.tif 000002
【特許請求の範囲】
【請求項１】
内部に中空部が形成された本体と、
前記中空部に着脱自在に収納され、内部に被加熱物を収容する内釜と、
前記内釜を加熱する加熱手段と、
前記加熱手段を制御する制御手段と、
炊飯する米量を設定する炊飯米量設定手段と、を備え、
前記制御手段は、前記加熱手段にて前記内釜を加熱中に検知された前記内釜の第１の状態と、前記第１の状態の後の第２の状態と、前記炊飯米量設定手段にて設定された米量とに基づいて、加熱手段を制御することを特徴とする炊飯器。
【請求項２】
本体に設けられ、内釜の温度を検知する内釜温度検知手段を備え、
第１の状態は、前記内釜温度検知手段が第１の温度になった時点であり、第２の状態は、前記内釜温度検知手段が第２の温度になった時点であり、制御手段は、前記第１の状態から第２の状態になるまでの経過時間と、炊飯米量設定手段にて設定された米量とに基づいて、加熱手段を制御することを特徴とする請求項１に記載の炊飯器。
【請求項３】
制御手段は、経過時間と、米量と、前記経過時間と前記米量に対応した加熱手段の制御と、を関係つけたデータを有していることを特徴とする請求項２に記載の炊飯器。
【請求項４】
本体に設けられ、内釜の温度を検知する内釜温度検知手段を備え、
第１の状態は、前記内釜温度検知手段が第１の温度になった時点であり、第２の状態は、前記第１の状態から所定時間経過した時点であり、制御手段は、前記第２の状態で前記内釜温度検知手段で検知された温度と、炊飯米量設定手段にて設定された米量とに基づいて、加熱手段を制御することを特徴とする請求項１に記載の炊飯器。
【請求項５】
制御手段は、第２の状態で内釜温度検知手段で検知された温度と、米量と、前記温度と前記米量に対応した加熱手段の制御と、を関係つけたデータを有していることを特徴とする請求項４に記載の炊飯器。
【請求項６】
本体に設けられ、内釜の温度を検知する内釜温度検知手段を備え、
第１の状態は、加熱を開始してから所定時間経過後の時点であり、第２の状態は、第１の状態から所定時間経過した時点であり、制御手段は、前記第１の状態と、前記第２の状態で前記内釜温度検知手段で検知された温度と、炊飯米量設定手段にて設定された米量とに基づいて、加熱手段を制御することを特徴とする請求項１に記載の炊飯器。
【請求項７】
制御手段は、第１の状態と、第２の状態で内釜温度検知手段で検知された温度の温度差と、米量と、前記温度差と前記米量に対応した加熱手段の制御と、を関係つけたデータを有していることを特徴とする請求項６に記載の炊飯器。
【請求項８】
本体に設けられ、内釜の温度を検知する内釜温度検知手段と、
蓋に設けられ、前記蓋の温度を検知する蓋温度検知手段と、
を備え、
第１の状態は、前記内釜温度検知手段が第１の温度になった時点であり、第２の状態は、前記蓋温度検知手段が第２の温度になった時点であり、制御手段は、前記第１の状態から第２の状態になるまでの経過時間と、炊飯米量設定手段にて設定された米量とに基づいて、加熱手段を制御することを特徴とする請求項１に記載の炊飯器。
【請求項９】
制御手段は、経過時間と、米量と、前記経過時間と前記米量に対応した加熱手段の制御と、を関係つけたデータを有していることを特徴とする請求項８に記載の炊飯器。
【請求項１０】
本体に設けられ、内釜の温度を検知する内釜温度検知手段と、
蓋に設けられ、前記蓋の温度を検知する蓋温度検知手段と、
を備え、
第１の状態は、前記内釜温度検知手段が第１の温度になった時点であり、第２の状態は、第１の状態から所定時間経過した時点であり、制御手段は、前記第２の状態で前記蓋温度検知手段で検知された温度と、炊飯米量設定手段にて設定された米量とに基づいて、加熱手段を制御することを特徴とする請求項１に記載の炊飯器。
【請求項１１】
蓋に設けられ、前記蓋の温度を検知する蓋温度検知手段を備え、
第１の状態は、前記蓋温度検知手段が第１の温度になった時点であり、第２の状態は、第１の状態から所定時間経過した時点であり、制御手段は、前記第２の状態で前記蓋温度検知手段で検知された温度と、炊飯米量設定手段にて設定された米量とに基づいて、加熱手段を制御することを特徴とする請求項１に記載の炊飯器。
【請求項１２】
蓋に設けられ、前記蓋の温度を検知する蓋温度検知手段を備え、
第１の状態は、加熱を開始してから所定時間経過後の時点であり、第２の状態は、第１の状態から所定時間経過した時点であり、制御手段は、前記第１の状態と、前記第２の状態で前記蓋温度検知手段で検知された温度と、炊飯米量設定手段にて設定された米量とに基づいて、加熱手段を制御することを特徴とする請求項１に記載の炊飯器。
【請求項１３】
本体に設けられ、内釜の温度を検知する内釜温度検知手段と、
蓋に設けられ、前記蓋の温度を検知する蓋温度検知手段と、
を備え、
第１の状態は、加熱を開始してから所定時間経過後の時点であり、第２の状態は、第１の状態から所定時間経過した時点であり、制御手段は、前記第１の状態で前記内釜温度検知手段で検知された温度と、前記第２の状態で前記蓋温度検知手段で検知された温度と、炊飯米量設定手段にて設定された米量とに基づいて、加熱手段を制御することを特徴とする請求項１に記載の炊飯器。
【請求項１４】
制御手段は、第２の状態で蓋温度検知手段で検知された温度と、米量と、前記温度と前記米量に対応した加熱手段の制御と、を関係つけたデータを有していることを特徴とする請求項１０又は１１に記載の炊飯器。
【請求項１５】
制御手段は、第1の状態と、第２の状態で蓋温度検知手段で検知された温度の温度差と、米量と、前記温度差と前記米量に対応した加熱手段の制御と、を関係つけたデータを有していることを特徴とする請求項１２に記載の炊飯器。
【請求項１６】
制御手段は、第1の状態で内釜温度検知手段で検知された温度と、第２の状態で蓋温度検知手段で検知された温度の温度差と、米量と、前記温度差と前記米量に対応した加熱手段の制御と、を関係つけたデータを有していることを特徴とする請求項１３に記載の炊飯器。
【請求項１７】
第１の状態、第２の状態は、制御手段が予熱工程、炊飯工程、むらし工程からなる炊飯制御を実施中の炊飯工程における温度上昇中の状態であることを特徴とする請求項１から１６のいずれかに記載の炊飯器。
【請求項１８】
制御手段は、加熱手段にて内釜を加熱中に検知された前記内釜の第１の状態と、前記第１の状態の後の第２の状態と、炊飯米量設定手段にて設定された米量とに基づいて、炊飯工程の沸騰維持工程における加熱手段の通電割合を制御することを特徴とする請求項１７に記載の炊飯器。
【請求項１９】
制御手段は、加熱手段にて内釜を加熱中に検知された前記内釜の第１の状態と、前記第１の状態の後の第２の状態と、炊飯米量設定手段にて設定された米量とに基づいて、炊飯工程の沸騰維持工程における加熱手段の電力値を制御することを特徴とする請求項１７に記載の炊飯器。
【請求項２０】
制御手段は、加熱手段にて内釜を加熱中に検知された前記内釜の第１の状態と、前記第１の状態の後の第２の状態と、炊飯米量設定手段にて設定された米量とに基づいて、炊飯工程の炊上げ工程における炊飯完了温度を制御することを特徴とする請求項１７に記載の炊飯器。
【請求項２１】
制御手段は、加熱手段にて内釜を加熱中に検知された前記内釜の第１の状態と、前記第１の状態の後の第２の状態と、炊飯米量設定手段にて設定された米量とに基づいて、むらし工程における加熱手段の通電割合を制御することを特徴とする請求項１７に記載の炊飯器。
【請求項２２】
制御手段は、加熱手段にて内釜を加熱中に検知された前記内釜の第１の状態と、前記第１の状態の後の第２の状態と、炊飯米量設定手段にて設定された米量とに基づいて、むらし工程における加熱手段の電力値を制御することを特徴とする請求項１７に記載の炊飯器。
【請求項２３】
制御手段は、加熱手段にて内釜を加熱中に検知された前記内釜の第１の状態と、前記第１の状態の後の第２の状態と、炊飯米量設定手段にて設定された米量とに基づいて、むらし工程における内釜の温度を制御することを特徴とする請求項１７に記載の炊飯器。
【請求項２４】
制御手段は、
第１の経過時間と、米量と、前記第１の経過時間と前記米量に対応した加熱手段の第１の制御と、
前記第１の経過時間より長い第２の経過時間と、前記米量と、前記第２の経過時間と前記米量に対応した加熱手段の第２の制御と、
前記第１の経過時間より短い第３の経過時間と、前記米量と、前記第３の経過時間と前記米量に対応した加熱手段の第３の制御と、
を少なくとも関係つけたデータを有し、
前記第２の制御における加熱量は前記第１の制御における加熱量よりも大きく、前記第３の制御における加熱量は前記第１の制御における加熱量よりも小さいことを特徴とする請求項３又は９に記載の炊飯器。
【請求項２５】
制御手段は、
第２の経過時間より長い第４の経過時間と、米量と、前記第４の経過時間と前記米量に対応した加熱手段の第４の制御と、を関係つけたデータを有し、前記第４の制御の加熱量は第１の制御の加熱量と同じであることを特徴とする請求項２４に記載の炊飯器。
【請求項２６】
制御手段は、
第３の経過時間より短い第５の経過時間と、米量と、前記第５の経過時間と前記米量に対応した加熱手段の第５の制御と、を関係つけたデータを有し、前記第５の制御の加熱量は第１の制御の加熱量と同じであることを特徴とする請求項２４に記載の炊飯器。
【請求項２７】
制御手段は、
第２の状態で内釜温度検知手段で検知された第１の温度と、米量と、前記第１の温度と前記米量に対応した加熱手段の第１の制御と、
前記第１の温度より低い第２の温度と、前記米量と、前記第２の温度と前記米量に対応した加熱手段の第２の制御と、
前記第１の温度より高い第３の温度と、前記米量と、前記第３の温度と前記米量に対応した加熱手段の第３の制御と、
を少なくとも関係つけたデータを有し、
前記第２の制御における加熱量は前記第１の制御における加熱量よりも大きく、前記第３の制御における加熱量は前記第１の制御における加熱量よりも小さいことを特徴とする請求項５に記載の炊飯器。
【請求項２８】
制御手段は、
第２の温度より低い第４の温度と、米量と、前記第４の温度と前記米量に対応した加熱手段の第４の制御と、を関係つけたデータを有し、前記第４の制御の加熱量は第１の制御の加熱量と同じであることを特徴とする請求項２７に記載の炊飯器。
【請求項２９】
制御手段は、
第３の温度より高い第５の温度と、米量と、前記第５の温度と前記米量に対応した加熱手段の第５の制御と、を関係つけたデータを有し、前記第５の制御の加熱量は第１の制御の加熱量と同じであることを特徴とする請求項２７に記載の炊飯器。
【請求項３０】
制御手段は、
第１の温度差と、米量と、前記第１の温度差と前記米量に対応した加熱手段の第１の制御と、
前記第１の温度差より小さい第２の温度差と、前記米量と、前記第２の温度差と前記米量に対応した加熱手段の第２の制御と、
前記第１の温度差より大きい第３の温度差と、前記米量と、前記第３の温度差と前記米量に対応した加熱手段の第３の制御と、
を少なくとも関係つけたデータを有し、
前記第２の制御における加熱量は前記第１の制御における加熱量よりも大きく、前記第３の制御における加熱量は前記第１の制御における加熱量よりも小さいことを特徴とする請求項７、１５、１６のいずれかに記載の炊飯器。
【請求項３１】
制御手段は、
第２の温度差より小さい第４の温度差と、米量と、前記第４の温度差と前記米量に対応した加熱手段の第４の制御と、を関係つけたデータを有し、前記第４の制御の加熱量は第１の制御の加熱量と同じであることを特徴とする請求項３０に記載の炊飯器。
【請求項３２】
制御手段は、
第３の温度差より大きい第５の温度差と、米量と、前記第５の温度差と前記米量に対応した加熱手段の第５の制御と、を関係つけたデータを有し、前記第５の制御の加熱量は第１の制御の加熱量と同じであることを特徴とする請求項３０に記載の炊飯器。
【請求項３３】
制御手段は、
第２の状態で蓋温度検知手段で検知された第１の温度と、米量と、前記第１の温度と前記米量に対応した加熱手段の第１の制御と、
前記第１の温度より低い第２の温度と、前記米量と、前記第２の温度と前記米量に対応した加熱手段の第２の制御と、
前記第１の温度より高い第３の温度と、前記米量と、前記第３の温度と前記米量に対応した加熱手段の第３の制御と、
を少なくとも関係つけたデータを有し、
前記第２の制御における加熱量は前記第１の制御における加熱量よりも大きく、前記第３の制御における加熱量は前記第１の制御における加熱量よりも小さいことを特徴とする請求項１４に記載の炊飯器。
【請求項３４】
制御手段は、
第２の温度より低い第４の温度と、米量と、前記第４の温度と前記米量に対応した加熱手段の第４の制御と、を関係つけたデータを有し、前記第４の制御の加熱量は第１の制御の加熱量と同じであることを特徴とする請求項３３に記載の炊飯器。
【請求項３５】
制御手段は、
第３の温度より高い第５の温度と、米量と、前記第５の温度と前記米量に対応した加熱手段の第５の制御と、を関係つけたデータを有し、前記第５の制御の加熱量は第１の制御の加熱量と同じであることを特徴とする請求項３３に記載の炊飯器。
【請求項３６】
経過時間、温度、温度差、のいずれか１つと、米量に対応した加熱手段の制御との関係つけは、本体の周囲の環境条件や、炊飯するために内釜内部に収容される被加熱物の特性によって調整されることを特徴とする請求項３、５、７、９、１４から１６のいずれかに記載の炊飯器。
【請求項３７】
炊飯米量設定手段で設定される米量は、本体の最大炊飯容量の５０％以下であることを特徴とする請求項１から請求項３６のいずれかに記載の炊飯器。
【発明の詳細な説明】
【技術分野】
【０００１】
本発明は、炊飯物である米と水を内釜に収容して炊飯を行う炊飯器に関するものである。
【背景技術】
【０００２】
従来の炊飯器は、炊飯器の大きさ、機種等で異なるように設定される温度上昇率の所定範囲と、その所定範囲内にあるか、その所定範囲の上下限を外れているかを判定する手段を設けて、温度上昇率が所定範囲の下限を下回る場合には水量が多いと判定して加熱量を増加し、温度上昇率が所定範囲の上限を超える場合には水量が少ないと判定して加熱量を減少させるものがある。
【先行技術文献】
【特許文献】
【０００３】
【特許文献１】特開平９−２７６１３２号公報
【発明の概要】
【発明が解決しようとする課題】
【０００４】
このような構成の従来の炊飯器では、温度上昇率のみの情報からでは水量の違いしか判定できない。つまり、米と水の量の比率（以下、「加水比」と言う）は求められず、単に炊飯量（主として水量）の判定しかできないことになる。例えば、２．０合の米に規定加水量より少ない水を加えた場合と、１．０合の米に規定加水量より多い水を加えた場合とでは、その温度上昇率はほぼ近しい値となってしまう。また、最近の炊飯器では、使用者の要求から０．５合刻みで炊飯量設定ができるものも提供されている。このような場合では、更に近しい値となり、場合によっては、それぞれが規定量の水を加えた場合の結果と入れ替わった結果となることも起こり得る。
【０００５】
その他の従来例として、重量センサにより総重量を計測したり、ＣＣＤイメージセンサで水面と米表面の位置から判定して米と水の比率を求めて、加水比のバラツキを補正するような炊飯器もあるが、構成が非常に複雑となったり、大きなコストアップを招く等の問題がある。
【０００６】
本発明は、上述の課題を解決するためになされたもので、温度上昇状況の比較結果により加水量のバラツキの炊き上がりへの影響を補正して、最適な炊飯結果に近づけることで美味しいご飯を炊き上げることが可能となるものである。
【課題を解決するための手段】
【０００７】
本発明の炊飯器では、内部に中空部が形成された本体と、中空部に着脱自在に収納され、内部に被加熱物を収容する内釜と、内釜を加熱する加熱手段と、加熱手段を制御する制御手段と、炊飯する米量を設定する炊飯米量設定手段と、を備え、制御手段は、加熱手段にて内釜を加熱中に検知された内釜の第１の状態と、第１の状態の後の第２の状態と、炊飯米量設定手段にて設定された米量とに基づいて、加熱手段を制御するものとした。
【発明の効果】
【０００８】
本発明によれば、温度上昇状況を基にして加水量のバラツキの炊き上がりへの影響を補正して、最適な炊飯結果に近づけることで美味しいご飯を炊き上げることが可能となる。その構成は、スイッチ等による炊飯米量設定手段による炊飯米量の入力により実現するものであり、重量センサやＣＣＤイメージセンサ等による複雑で高価なものではなく、極めて簡素で安価な構成とすることが可能となる。
【図面の簡単な説明】
【０００９】
【図１】本発明の実施の形態１に係る炊飯器１を示す斜視図である。
【図２】本発明の実施の形態１に係る炊飯器１を示す断面図である。
【図３】本発明の実施の形態１に係る炊飯器１を示す上面図である。
【図４】本発明の実施の形態１に係る炊飯器１の制御部を示すブロック図である。
【図５】本発明の実施の形態１に係る炊飯器１の内釜５の内側側面に施された規定加水量を示した水位目盛である。
【図６】本発明の実施の形態１に係る炊飯器１の炊飯米量に対応する規定加水量とその加水比の関係を表した表である。
【図７】本発明の実施の形態１に係る炊飯器１の動作を示すパターン図である。
【図８】本発明の実施の形態１に係る炊飯器１の炊飯米量と経過時間ｔ１とを関係つける表である。
【図９】本発明の実施の形態１に係る炊飯器１の炊飯手順を示すフローチャートである。
【図１０】本発明の実施の形態１に係る炊飯器１の動作を示すパターン図である。
【図１１】本発明の実施の形態２に係る炊飯器１の動作を示すパターン図である。
【図１２】本発明の実施の形態２に係る炊飯器１の炊飯米量と所定時間経過後温度Ｔ１とを関係つける表である。
【図１３】本発明の実施の形態２に係る炊飯器１の炊飯手順を示すフローチャートである。
【図１４】本発明の実施の形態３に係る炊飯器１の動作を示すパターン図である。
【図１５】本発明の実施の形態３に係る炊飯器１の炊飯米量と所定時間経過後温度Ｔ２とを関係つける表である。
【図１６】本発明の実施の形態３に係る炊飯器１の炊飯手順を示すフローチャートである。
【図１７】本発明の実施の形態４に係る炊飯器１の動作を示すパターン図である。
【図１８】本発明の実施の形態４に係る炊飯器１の炊飯米量と経過時間τ１との関係を表すグラフである。
【図１９】本発明の実施の形態４に係る炊飯器１の炊飯米量と経過時間τ１とを関係つける表である。
【図２０】本発明の実施の形態４に係る炊飯器１の炊飯手順を示すフローチャートである。
【図２１】本発明の実施の形態５に係る炊飯器１の動作を示すパターン図である。
【図２２】本発明の実施の形態６に係る炊飯器１の炊飯手順を示すフローチャートである。
【図２３】本発明の実施の形態６に係る炊飯器１の動作を示すパターン図である。
【図２４】本発明の実施の形態６に係る炊飯器１の動作を示すパターン図である。
【図２５】本発明の実施の形態７に係る炊飯器１の動作を示すパターン図である。
【図２６】本発明の実施の形態７に係る炊飯器１の動作を示すパターン図である。
【図２７】本発明の実施の形態８に係る炊飯器１の動作を示すパターン図である。
【図２８】本発明の実施の形態９に係る炊飯器１の炊飯米量と経過時間τ１との関係を表すグラフである。
【図２９】本発明の実施の形態１０に係る炊飯器１の炊飯手順を示すフローチャートである。
【発明を実施するための形態】
【００１０】
実施の形態１．
図１は、実施の形態１に係る炊飯器１を示す斜視図であり、図２は、実施の形態１に係る炊飯器１を示す断面図である。図１及び図２に示すように、炊飯器１は、例えば電磁誘導加熱式調理器であり、本体２と、蓋体３と、加熱手段４と、内釜５とを有している。本体２は、上面が開口２１となっている有底円筒状をなしており、内部に中空部２２が形成されている。蓋体３は、本体２の上面に開閉自在に取り付けられ、本体２の開口２１を塞ぐ。加熱手段４は、本体２の中空部２２の底面に設けられており、内釜５の底面に沿う形状をなしている。加熱手段４は、例えば加熱コイルであり、内釜５に渦電流を誘起して内釜５を加熱する。なお、加熱手段４は、平坦であっても良い。内釜温度検知手段６は内釜底面の温度を検知するものでありサーミスタで構成され、内釜５内に収容される被加熱物の温度を間接的に検知している。蓋温度検知手段７は蓋体３の底面部に設けられており、サーミスタで構成され内釜内雰囲気温度を検知している。
【００１１】
図３は図１に示す炊飯器１の上面図である。蓋体３の上面には、炊飯キー３１、選択キー３２、切／保温キー３３、表示窓３５、表示窓３５の両側に配置された複数の設定キー３４等により構成される操作パネル３６が設けられている。設定キー３４は、炊飯条件を設定するスイッチで、例えばお米キー、メニューキー、予約キー等で構成される。炊飯米量設定手段である炊飯米量キー３４ａは炊飯しようとする米量を設定するもので、炊飯を行う際に計量カップで計量された米量を入力する。例えば、１．０合の米を炊飯する場合には「１．０合」、１．５合の米を炊飯する場合には「１．５合」と設定する。また、蓋体３の上面には、炊飯時に発生する蒸気を排出する蒸気口３７が設けられている。炊飯器本体２の前面には、蓋体３を開閉する蓋開閉ボタン２ａが設けられている。
【００１２】
図４は実施の形態１に係る炊飯器１の制御部の概略構成を示すブロック図である。図３に示す炊飯キー３１、選択キー３２、切／保温キー３３、設定キー３４から構成される入力手段４１と、図３の表示窓３５やＬＣＤやＬＥＤ等により構成される表示手段４２とは、制御手段４３と接続され、制御手段４３は、入力手段４１の設定キー３４から入力された炊飯する米の種類や炊飯メニューを、表示手段４２に表示する。また、制御手段４３は、入力手段４１からの炊飯開始指示の入力を受付けると、加熱手段４を介して内釜５を加熱し、内釜温度検知手段６、蓋温度検知手段７で検知した温度に基づいて、加熱手段５を制御する。
【００１３】
図５は実施の形態１に係る炊飯器１の内釜５の内側側面に施された規定加水量を指示する水位目盛を表す。図６は炊飯する米量に対応する規定加水量とその加水比の関係を表した表である。図５において、炊飯する米量が１．０合の場合は、内釜５に洗米した１．０合の米を入れ、水位目盛の「１」の表示の線上に水位（水面の位置）を合わせる。同様に炊飯する米量が５．０合の場合は、内釜５に洗米した５．０合の米を入れ、水位目盛の「５」の表示の線上に水位（水面の位置）を合わせる。また、炊飯米量が１．０合と２．０合の中間の１．５合を炊飯したい場合は、計量カップで１．５合の米を計量し、内釜５に洗米した１．５合の米を入れ、水位目盛の「１」「２」の表示の両脇にあるギザギザの表示の谷の部分に水位（水面の位置）を合わせれば良い。この水位目盛の最大炊飯容量は５．５合までとなっている。
【００１４】
図６において、炊飯する米量が１．０合の場合、その容量は計量カップ１杯分で１８０ｍＬとなる。この１．０合の炊飯米量に対応する規定加水量は２７０ｍＬで、炊飯米量に対応する加水量の比率（加水比）は、
２７０（ｍＬ）／１８０（ｍＬ）＝１．５０（倍）
となっている。この規定加水量の設定は、炊飯器１の大きさや機種毎の特性により設定されるものである。炊飯米量が５．０合の場合は、米の容量は計量カップ５杯分で９００ｍＬ、規定加水量は１０５０ｍＬ、加水比は１．１７倍となっている。１．０合より５．０合の方が加水比が小さいのは、少量を炊飯する場合と多量を炊飯する場合とで、硬さ等の炊き上がり状態を略同等としようとすると炊飯工程の過程の違いにより蒸発水量に差異が生じるためであり、これらを考慮して規定加水量は設定されている。
【００１５】
ここで図５に戻って加水量のバラツキについて考察する。１．０合の米を炊飯する時、規定加水量２７０ｍＬの加水がされた場合には「１」の表示の線上に水位（水面の位置）がある（「±０ｍｍ」の位置）。水加減をする際に、内釜５が水平ではなく傾いていたり、水加減に対する使用者の意識が低くて水位（水面の位置）がずれてしまったりした場合は、加水比に影響を与えることになる。図には規定加水量の「±０ｍｍ」に対して、「＋１ｍｍ」「＋２ｍｍ」「−１ｍｍ」「−２ｍｍ」の４つのパターンをイメージとして示した。最大炊飯容量１．０Ｌ（５．５合）用の炊飯器１の場合、±２ｍｍの水位の差は加水量で約５０ｍＬに相当し、加水比が大きく変動してしまい、炊き上がりご飯の美味しさを損なうことに繋がる。５．０合の米を炊飯する時を考えてみる。炊飯器１の内釜５は略円筒形状なので、水位の違いが同じ場合の加水量の違いはほぼ同等（水位差１ｍｍの場合の水量は１．０合でも５．０合でもほぼ同等）であるので、１．０合等の少量を炊飯する場合に比べて、５．０合のような多量を炊飯する場合の方が加水比への影響は少ないと考えられる。      
【００１６】
図７は、実施の形態１に係る炊飯器１の動作を示すパターン図である。図７において、上部に記された曲線は、炊飯時の内釜温度検知手段６で検知される内釜５の底面温度を表した温度曲線である。下部に記されたパターン図は、加熱手段４である加熱コイルに入力される消費電力パターンを表す。まず、炊飯が開始すると、内釜５の底面温度を一定に保ちながら所定時間が経過するのを待つ。これを予熱工程と呼び、米に水分を充分に吸収させることが目的である。次に炊飯工程に移行する。炊飯工程では、強火で加熱することによって内釜５内の被加熱物である米と水の温度を一気に上昇させて沸騰させる。その後、火力を弱めて沸騰状態を維持する沸騰維持工程になり、その後に、内釜５内の水分が蒸発して無くなると、内釜５の底面温度が急激に上昇し始め、所定の底面温度になり、所定温度になった時点で炊飯工程を終了させる。この所定温度を炊飯完了温度、あるいはドライアップ温度とも呼ぶ。次に、むらし工程に移行する。むらし工程では、内釜５内のご飯の温度が低下しないように内釜５を適宜加熱しながら所定時間が経過するのを待つ。この加熱のことを一般的には２度炊きと呼ぶ。この時点で、炊飯開始時に収容された米は水分と加熱により糊化（α化）し、ご飯が炊き上がる。むらし工程が終了すると、ご飯を温度一定に保つ保温工程へと移行する。
【００１７】
炊飯工程の強火での加熱中、内釜温度検知手段６により検知される内釜温度は予熱時の保持温度から沸騰温度まで上昇する。この間で、２つの異なる所定の内釜温度を経過する時間は、内釜５内の炊飯米量や加水量によって異なってくる。
よって、炊飯米量設定手段３４ａで設定された炊飯米量に規定加水量を加水した場合での経過時間を、「０．５合」「１．０合」「１．５合」…のそれぞれの炊飯米量に対応して決めておくことで、炊飯米量に対応する加水量の状況を把握することができる。
【００１８】
図８は、炊飯米量と内釜温度が６０℃から７５℃になるまでの経過時間ｔ１と、その経過時間ｔ１に対する水量判断と、その時の加熱の制御を関係つけるデータを表形式にしたものであり、制御手段４３が有している。
ここでは、図５における規定加水量「±０ｍｍ」から±１ｍｍの範囲を標準範囲として、その標準範囲と、その標準範囲から経過時間ｔ１の大きい方へ外れる上限範囲外と、小さい方へ外れる下限範囲外の３つの区分を設定して、制御手段４３による加熱手段４の制御を調整するようにしている。
図８では、例えば、１．０合の場合に、内釜温度が６０℃から７５℃になるまでの経過時間ｔ１が２分〜３分の間である場合には、加水量は標準範囲、すなわち、規定加水量「±０ｍｍ」から±１ｍｍの範囲にある場合であり、２分以下の場合には、下限範囲外、すなわち適正水量に比較して水分が少ない、規定加水量「±０ｍｍ」から−１ｍｍを下回る範囲であり、３分以上の場合には、上限範囲外、すなわち適正水量に比較して水分が多い、規定加水量「±０ｍｍ」から＋１ｍｍを上回る範囲として、設定している。
【００１９】
なお、±０．５ｍｍと±１．５ｍｍで区分して、（１）−０．５ｍｍ〜＋０．５ｍｍの標準範囲（±０ｍｍゾーン）、（２）＋０．５ｍｍ〜＋１．５ｍｍ（＋１．０ｍｍゾーン）、（３）＋１．５ｍｍ〜（＋２．０ｍｍゾーン）、（４）−０．５ｍｍ〜−１．５ｍｍ（−１．０ｍｍゾーン）、（５）−１．５ｍｍ〜（−２．０ｍｍゾーン）という５つの区分に設定しても良く、その設定は任意である。なお、区分同士の境界値は〇ｍｍ以上／〇ｍｍ未満というように判定結果が重複しないような設定が望ましい。
【００２０】
次に、実施の形態１における炊飯器１の炊飯制御に関し、図９のフローチャートに基づいて説明する。
まず、使用者は、設定キー３４を操作し、炊飯条件として炊飯米量を入力する（Ｓ１）。例えば、炊飯米量を１．０合にするとかである。
次に、使用者は、炊飯キー３１を押し、炊飯が開始される（Ｓ２）。
制御手段４３は、炊飯条件に基づき、加熱手段４を動作させて予熱工程を行い（Ｓ３）、次に、加熱手段４の電力量を上げて、内釜５内の温度を上げるとともに、内釜温度検知手段６で内釜底面の温度検知を開始、内釜温度検知手段６で検知された温度が６０℃になった時点でタイマーにより計時を開始し、７５℃になった時点で終了させることで、６０℃から７５℃になるまでの時間を測定する（Ｓ４）。
その後、制御手段４３は、図８の表を参考に、測定した時間が２分を超えるか否か（Ｓ５）、及び、３分未満か否かを判断する（Ｓ６）。
Ｓ５で、測定した経過時間ｔ１が２分以下の場合には、下限範囲外であるため、その後の沸騰維持工程での通電割合を標準通電割合よりΔａ小さくする（Ｓ７）。また、Ｓ６で、経過時間ｔ１が３分以上の場合には、上限範囲外であるため、その後の沸騰維持工程での通電割合を標準通電割合よりΔｂ大きくする（Ｓ９）。また、経過時間ｔ１が、２分から３分の間の場合には、標準範囲であるため、その後の沸騰維持工程での通電割合を標準通電割合とする（Ｓ８）。
その後、Ｓ７〜Ｓ９で設定された通電割合で、その後の沸騰維持工程を実行し（Ｓ１０）、その後、むらし工程を行い（Ｓ１１）、炊飯が終了することになる。
【００２１】
図７は、沸騰維持工程で標準通電割合とされた場合の動作を示しており、また、図１０は、沸騰維持工程で標準通電割合−Δａとされた場合の動作を示すパターン図である。図７では、８秒ＯＮ／８秒ＯＦＦというような周期が１６秒の通電パターンで制御される（通電率８／１６と表す）。この場合の通電割合は５０％である。また、図１０は、６秒ＯＮ／１０秒ＯＦＦというような通電パターン（通電率６／１６）であり、どちらも加熱手段４の電力値自体は同一となっていて、通電率のみでの変更である。この場合の通電割合は３７．５％である。
なお、両者は、沸騰維持工程での通電割合は異なるが、内釜５内の水量が相違するため、内釜５内の温度はほぼ同じになっている。沸騰維持工程で標準通電割合＋Δｂとされた場合の動作は、図示しないが、１０秒ＯＮ／６秒ＯＦＦ（通電率１０／１６）というように加熱手段４の加熱量を上げた通電パターンで制御すれば良い。この場合の通電割合は６２．５％である。
【００２２】
この制御では、炊飯米量に対応する加水量が規定加水量より少ないと判断された場合、炊き上がりご飯の硬さが硬くなってしまうので、内釜５内の水の蒸発量を抑制して炊き上がりご飯の含水率を上げて軟らかくする方向へ補正することができ、炊飯米量に対応する加水量が規定加水量より多いと判断された場合、炊き上がりご飯の硬さが軟らかくなってしまうので、内釜５内の水の蒸発量を促進して炊き上がりご飯の含水率を下げて硬くする方向へと補正することができる。
【００２３】
このように実施の形態１の炊飯器１では、温度上昇状況の比較結果により加水量のバラツキの炊き上がりへの影響を補正して、最適な炊飯結果に近づけることで美味しいご飯を炊き上げることが可能となる。
【００２４】
実施の形態２．
実施の形態１では、内釜５の底部の温度を検知する内釜温度検知手段６が第１の温度になってから第２の温度になるまでの時間に基づき、加水量が下限範囲外、上限範囲外を判別して加熱電力量を調整したが、実施の形態２では、炊飯工程に移行した後、所定時間の間の温度上昇状況に基づき、加水量が下限範囲外、上限範囲外を判別して、加熱を調整するという点で異なる。
【００２５】
図１１は、実施の形態２に係る炊飯器１の動作を示すパターン図である。予熱工程後の炊飯工程での初期段階では、急激に火力を上昇させて内釜５内の温度を上昇させるが、この間の火力は設定した炊飯米量に応じては変わるが、加水量に応じては変えないため、内釜５内の水量により温度上昇状況が異なる。よって、内釜底面の温度が６０℃になってから３分経過後の内釜底面の温度を測定している。
【００２６】
図１２は、炊飯米量と内釜温度が６０℃から３分経過した時点での温度Ｔ１と、その温度Ｔ１に対する水量判断と、その時の加熱の制御を関係つけるデータを表形式にしたものであり、制御手段４３が有している。
ここでは、例えば、１．０合の場合に、内釜温度が６０℃になってから３分経過後の温度Ｔ１が７０℃〜８０℃の間である場合には、加水量は標準範囲、８０℃以上の場合には、下限範囲外、すなわち適正水量に比較して水分が少ない、７０℃以下の場合には、上限範囲外、すなわち適正水量に比較して水分が多い、と設定している。
【００２７】
次に、実施の形態２における炊飯器１の炊飯制御に関し、図１３のフローチャートに基づいて説明する。
まず、使用者は、設定キー３４を操作し、炊飯条件として炊飯米量を入力する（Ｓ１）。例えば、炊飯米量を１．０合にするとかである。
次に、使用者は、炊飯キー３１を押し、炊飯が開始される（Ｓ２）。
制御手段４３は、炊飯条件に基づき、加熱手段４を動作させて予熱工程を行い（Ｓ３）、次に、加熱手段４の電力量を上げて、内釜５内の温度を上げるとともに、内釜温度検知手段６で内釜底面の温度検知を開始、内釜温度検知手段６で検知された温度が６０℃になった時点でタイマーにより計時を開始し、３分経過時点での温度Ｔ１を内釜温度検知手段６で検知する（Ｓ１４）。
その後、制御手段４３は、図１２の表を参考に、検知した温度Ｔ１が８０℃未満か否か（Ｓ１５）、及び、７０℃を超えるか否かを判断する（Ｓ１６）。
Ｓ１５で、検知した温度Ｔ１が８０℃以上の場合には、下限範囲外であるため、その後の沸騰維持工程での通電割合を標準通電割合よりΔａ小さくする（Ｓ７）。また、Ｓ１６で、温度Ｔ１が７０℃以下の場合には、上限範囲外であるため、その後の沸騰維持工程での通電割合を標準通電割合よりΔｂ大きくする（Ｓ９）。また、温度Ｔ１が、７０℃から８０℃の間の場合には、標準範囲であるため、その後の沸騰維持工程での通電割合を標準通電割合とする（Ｓ８）。
その後、Ｓ７〜Ｓ９で設定された通電割合で、その後の沸騰維持工程を実行し（Ｓ１０）、その後、むらし工程を行い（Ｓ１１）、炊飯が終了することになる。
【００２８】
このような実施の形態２のような方法でも、実施の形態１と同様に、温度上昇状況の比較結果により加水量のバラツキの炊き上がりへの影響を補正して、最適な炊飯結果に近づけることで美味しいご飯を炊上げることが可能となる。
【００２９】
実施の形態３．
実施の形態２では、内釜底面の温度が６０℃になってから３分経過後の内釜底面の温度を測定し、加水量が下限範囲外、上限範囲外を判別したが、実施の形態３では、炊飯工程に移行後の所定時から所定時までの温度差により、加水量が下限範囲外、上限範囲外を判別して、加熱を調整するという点で異なる。
【００３０】
図１４は、実施の形態３に係る炊飯器１の動作を示すパターン図である。予熱工程後の炊飯工程での初期段階では、急激に火力を上昇させて内釜５内の温度を上昇させるが、この間の火力は設定した炊飯米量に応じては変わるが、加水量に応じては変えないため、内釜５内の水量により温度上昇状況が異なる。よって、炊飯工程に移行してから３分後の温度と６分後の温度との差を測定している。
【００３１】
図１５は、炊飯米量と炊飯工程移行後の３分後の温度と６分後の温度の温度差Ｔ２と、その温度差Ｔ２に対する水量判断と、その時の加熱の制御を関係つけるデータを表形式にしたものであり、制御手段４３が有している。
ここでは、例えば、１．０合の場合に、温度差Ｔ２が１０℃〜１５℃である場合には、加水量は標準範囲、１５℃以上の場合には、下限範囲外、すなわち適正水量に比較して水分が少ない、１０℃以下の場合には、上限範囲外、すなわち適正水量に比較して水分が多い、と設定している。
【００３２】
次に、実施の形態３における炊飯器１の炊飯制御に関し、図１６のフローチャートに基づいて説明する。
まず、使用者は、設定キー３４を操作し、炊飯条件として炊飯米量を入力する（Ｓ１）。例えば、炊飯米量を１．０合にするとかである。
次に、使用者は、炊飯キー３１を押し、炊飯が開始される（Ｓ２）。
制御手段４３は、炊飯条件に基づき、加熱手段４を動作させて予熱工程を行い（Ｓ３）、次に、加熱手段４の電力量を上げて、内釜５内の温度を上げるとともに、タイマーが計時を開始、タイマーが３分になった時点で内釜温度検知手段６で検知された温度と、６分になった時点で内釜温度検知手段６で検知された温度との温度差Ｔ２を検出する（Ｓ２４）。
その後、制御手段４３は、図１５の表を参考に、検出した温度差Ｔ２が１５℃未満か否か（Ｓ２５）、及び、１０℃を超えるか否かを判断する（Ｓ２６）。
Ｓ２５で、温度差Ｔ２が１５℃以上の場合には、下限範囲外であるため、その後の沸騰維持工程での通電割合を標準通電割合よりΔａ小さくする（Ｓ７）。また、Ｓ２６で、温度差Ｔ２が１０℃以下の場合には、上限範囲外であるため、その後の沸騰維持工程での通電割合を標準通電割合よりΔｂ大きくする（Ｓ９）。また、温度差Ｔ２が、１０℃から１５℃の間の場合には、標準範囲であるため、その後の沸騰維持工程での通電割合を標準通電割合とする（Ｓ８）。
その後、Ｓ７〜Ｓ９で設定された通電割合で、その後の沸騰維持工程を実行し（Ｓ１０）、その後、むらし工程を行い（Ｓ１１）、炊飯が終了することになる。
【００３３】
このような実施の形態３のような方法でも、実施の形態２と同様に、温度上昇状況の比較結果により加水量のバラツキの炊き上がりへの影響を補正して、最適な炊飯結果に近づけることで美味しいご飯を炊上げることが可能となる。
【００３４】
実施の形態４．
実施の形態１では、内釜５の底面の温度を検知する内釜温度検知手段６が第１の温度になってから第２の温度になるまでの時間に基づき、加水量が下限範囲外、上限範囲外を判別して加熱電力量を調整したが、実施の形態４では、内釜温度検知手段６が第１の温度になってから、蓋温度検知手段７が第１の温度になるまでの時間に基づき、加水量が下限範囲外、上限範囲外を判別して、加熱を調整するという点で異なる。電磁誘導加熱式の炊飯器１では、内釜５自体が発熱する構成であるので、内釜温度検知手段６による内釜温度では被加熱物の温度が忠実に反映され難いという背景もあり、ここでは、蓋温度検知手段７を用いたものである。
【００３５】
図１７は、実施の形態４に係る炊飯器１の動作を示すパターン図であり、図１８は、実施の形態４に係る炊飯器１の炊飯米量と内釜温度が所定温度になってから蓋温度が所定温度になるまでの経過時間τ１との関係を表すグラフである。図１８において、横軸は炊飯米量を示しここでは０．５合から２．０合まで０．５合刻みで示している。縦軸は、ここでは、内釜温度が７０℃になってから蓋温度が７０℃になるまでの経過時間τ１を、分を単位として表している。５本の直線は、規定加水量を示す水位目盛との水位の違い毎に引かれた特性直線である。「±０ｍｍ」が規定加水量の場合を表し、規定加水量を示す水位目盛から「＋１ｍｍ」「＋２ｍｍ」水位が高かった場合、「−１ｍｍ」「−２ｍｍ」水位が低かった場合の５つである。
このグラフから分かるように、内釜５内の水の量に応じて、経過時間τ１は変化する。すなわち、規定加水量に対して内釜５内の水量が多い場合には、経過時間τ１は規定加水量の場合に比較して長くなり、規定加水量に対して内釜５内の水量が少ない場合には、経過時間τ１は規定加水量の場合に比較して短くなる。
よって、内釜温度が７０℃になってから蓋温度が７０℃になるまでの経過時間τ１を測ることで、内釜５内の水量が規定加水量に比較して多い、少ないを判断することができる。
【００３６】
図１９は、炊飯米量と内釜温度が７０℃になってから蓋温度が７０℃になるまでの経過時間τ１と、その経過時間τ１に対する水量判断と、その時の加熱の制御を関係つけるデータを表形式にしたものであり、制御手段４３が有している。  
図１９では、例えば、１．０合の場合に、内釜温度が７０℃になってから蓋温度が７０℃になるまでの経過時間τ１が３分〜４分の間である場合には、加水量が標準範囲、３分以下の場合には、加水量が下限範囲外、４分以上の場合には、加水量が上限範囲外、となっている。
【００３７】
次に、実施の形態４における炊飯器１の炊飯制御に関し、図２０のフローチャートに基づいて説明する。
まず、使用者は、設定キー３４を操作し、炊飯条件として炊飯米量を入力する（Ｓ１）。例えば、炊飯米量を１．０合にするとかである。
次に、使用者は、炊飯キー３１を押し、炊飯が開始される（Ｓ２）。
制御手段４３は、炊飯条件に基づき、加熱手段４を動作させて予熱工程を行い（Ｓ３）、次に、加熱手段４の電力量を上げて、内釜５内の温度を上げるとともに、内釜温度検知手段６で内釜底面の温度検知を開始、内釜温度検知手段６が７０℃になった時点でタイマーにより計時を開始し、蓋温度検知手段７が７０℃になった時点で終了させることで、内釜温度が７０℃になってから蓋温度が７０℃になるまでの経過時間τ１を測定する（Ｓ３４）。
その後、制御手段４３は、図１９の表を参考に、測定した時間が３分を超えるか否か（Ｓ３５）、及び、４分未満か否かを判断する（Ｓ３６）。
Ｓ３５で、経過時間τ１が３分以下の場合には、下限範囲外、すなわち水が少ない状態であるため、その後の沸騰維持工程での通電割合を標準通電割合よりΔａ小さくする（Ｓ７）。また、Ｓ３６で、経過時間τ１が４分以上の場合には、上限範囲外、すなわち水が多い状態であるため、その後の沸騰維持工程での通電割合を標準通電割合よりΔｂ大きくする（Ｓ９）。また、経過時間τ１が、３分〜４分の間の場合には、標準範囲、すなわち適正水量であるため、その後の沸騰維持工程での通電割合を標準通電割合とする（Ｓ８）。
その後、Ｓ７〜Ｓ９で設定された電力量で、その後の沸騰維持工程を実行し（Ｓ１０）、その後、むらし工程を行い（Ｓ１１）、炊飯が終了することになる。
【００３８】
このように実施の形態４の炊飯器１では、温度上昇状況を求める温度情報として内釜温度検知手段６による内釜温度に加え、蓋温度検知手段７による蓋温度を用いることによって、内釜５内の被加熱物の温度変化を内釜内雰囲気温度として捉えることでより正確に被加熱物の量の違いを判定することができる。なお、ここでは所定の内釜温度と所定の蓋温度を同じ値（７０℃）としたがこれに限られるものではなく、内釜温度７０℃から蓋温度７５℃までというように異なる温度に設定しても良い。また、実施の形態２において、内釜温度検知手段６が６０℃になってから、３分経過後の蓋温度を検知し、その蓋温度に応じて制御しても良いし、炊飯開始後所定時間経過後の蓋温度を検知し、その蓋温度に応じて制御しても良い。
また、実施の形態３において、３分経過後の蓋温度と６分経過後の蓋温度との温度差に応じて制御しても良い。
【００３９】
実施の形態５．
実施の形態５は、沸騰維持工程での加熱量を調整する手段が実施の形態４とは異なるものである。
【００４０】
図２１は、下限範囲外における通電パターンを示したものであり、沸騰維持工程での通電割合は、８秒ＯＮ／８秒ＯＦＦ（通電率８／１６）であり、図７に示した標準範囲のものと同様である。しかし、加熱手段４の電力値が低くなっており、その点で図７の通電パターンとは異なっている。なお、図示しないが、上限範囲外の場合には、８秒ＯＮ／８秒ＯＦＦ（通電率８／１６）であるが、加熱手段４の電力値を図７よりも大きくする。
【００４１】
このように、通電割合は同じで、通電時の電力値を変える方法でも、温度上昇状況の比較結果により加水量のバラツキの炊き上がりへの影響を補正して、最適な炊飯結果に近づけることで美味しいご飯を炊き上げることが可能となる。
【００４２】
実施の形態６．
実施の形態４では、水の量に応じて通電割合を変えていたが、この実施の形態６は、炊飯完了温度を変化させるようにしたものである。
沸騰維持工程が終わり、内釜５内の水分が無くなり内釜底部の温度が上昇していく工程を炊上げ工程と呼ぶ。炊上げ工程では、内釜温度検知手段６による内釜底面の検知温度が、予め定められた所定の温度を検知すると炊飯工程を終了する。この温度を炊飯完了温度、あるいはドライアップ温度と呼ぶ。
【００４３】
図２２は、この実施の形態６における制御のフローチャートである。Ｓ１〜Ｓ３４実施後、Ｓ３５で、経過時間τ１が３分以下の場合には、下限範囲外、すなわち水が少ない状態であるため、その後の炊飯完了温度を１２０℃にする（Ｓ４７）。また、Ｓ３６で、経過時間τ１が４分以上の場合には、上限範囲外、すなわち水が多い状態であるため、その後の炊飯完了温度を１６０℃にする（Ｓ４９）。また、経過時間τ１が、３分〜４分の間の場合には、標準範囲、すなわち適正水量であるため、その後の炊飯完了温度を１４０℃にする（Ｓ４８）。
その後、Ｓ４７〜Ｓ４９で設定された炊飯完了温度で、その後の沸騰維持工程を実行し（Ｓ１０）、その後、むらし工程を行い（Ｓ１１）、炊飯が終了することになる。
図２３は、炊飯完了温度が１４０℃である場合の炊飯器１の動作を示すパターン図であり、図２４は、炊飯完了温度が１２０℃である場合の炊飯器１の動作を示すパターン図である。
【００４４】
このように、炊飯完了温度を下げることで、内釜５内の余剰水を多く残して炊き上がりご飯の含水率を上げ、規定加水量の場合より硬くなってしまうご飯の炊き上がり硬さを軟らかい方向へ補正することができ、炊飯完了温度を上げることで、内釜５内の余剰水の蒸発を促進して炊き上がりご飯の含水率を下げ、規定加水量の場合より軟らかくなってしまうご飯の炊き上がり硬さを硬い方向へと補正することができる。
【００４５】
このように実施の形態６の炊飯器１では、温度上昇状況の比較結果に基づき加水量のバラツキの炊き上がりへの影響を補正して、最適な炊飯結果に近づけることで美味しいご飯を炊き上げることが可能となる。
【００４６】
実施の形態７．
実施の形態４では、水の量に応じて通電割合を変えていたが、実施の形態７では、むらし工程での加熱量を変えたものである。
図２５及び図２６は、実施の形態７に係る炊飯器１の動作を示すパターン図である。ここで、上部に記された曲線は、炊飯時の内釜温度検知手段６で検知される内釜５の底面温度を表した温度曲線と蓋温度検知手段７で検知される内釜内雰囲気温度を表した温度曲線である。下部に記されたパターン図は、加熱手段４である加熱コイルに入力される消費電力パターンを表す。
【００４７】
図２５は、例えば、図２０のフローチャートにおいて、加水量が標準範囲、すなわち、経過時間τ１が３分から４分の間であった場合のものである。内釜温度検知手段６が炊飯完了温度を検知すると、炊飯工程は終了してむらし工程へ移行する。むらし工程では、内釜温度が炊飯完了温度から徐々に低下して予め定められたむらし温度になると加熱手段４に通電してむらし温度を維持するように制御する。あるいは、炊飯完了温度検知から所定時間経過後に所定の加熱量で加熱手段４を通電するように制御しても良い。この所定時間は、内釜底面の温度がむらし温度までに低下するであろう時間を実験等で求めて予め設定しておけば良い。
【００４８】
図２６は、図２０のフローチャートにおいて、加水量が下限範囲外、すなわち、経過時間τ１が３分以下であった場合のものである。ここでは、図２５と比較して、むらし工程での加熱手段４の加熱量が小さく設定されていることである。
【００４９】
むらし工程での加熱手段４の加熱量を下げることで、内釜５内の余剰水を多く残して炊き上がりご飯の含水率を上げ、規定加水量の場合より硬くなってしまうご飯の炊き上がり硬さを軟らかい方向へ補正することができる。
【００５０】
なお、図示しないが、図２０のフローチャートにおいて、加水量が上限範囲外、すなわち、経過時間τ１が４分以上であった場合には、むらし工程での加熱手段４の加熱量が大きく設定される。
むらし工程の加熱手段４の加熱量を上げることで、内釜５内の余剰水の蒸発を促進して炊き上がりご飯の含水率を下げ、規定加水量の場合より軟らかくなってしまうご飯の炊き上がり硬さを硬い方向へと補正することができる。
【００５１】
なお、ここではむらし工程での加熱手段４の加熱量の通電パターンは、電力値を一定として通電割合を変化させる、いわゆる通電率による制御の変更方法を挙げたが、前述したような通電率は一定に保って加熱手段４の電力値を変更するような制御方法でも同様の結果を得ることができる。
【００５２】
実施の形態８．
実施の形態７では、むらし工程での加熱量を変化させたが、図２７に示すように、むらし工程における内釜底面の温度を変えるようにしても良い。
図２７の通電パターンは、図２０のフローチャートにおいて、加水量が上限範囲外、すなわち、経過時間τ１が４分以上であった場合のものであり、図２５に比較して、むらし工程での内釜底面の温度を高く設定している。むらし工程でのむらし温度を上げることで、内釜５内の余剰水の蒸発を促進して炊き上がりご飯の含水率を下げ、規定加水量の場合より軟らかくなってしまうご飯の炊き上がり硬さを硬い方向へ補正することができる。
【００５３】
なお、図示はしていないが、図２０のフローチャートにおいて、加水量が下限範囲外、すなわち、経過時間τ１が３分以下であった場合には、むらし工程での内釜底面の温度を低く設定する。
むらし工程でのむらし温度を下げることで、内釜５内の余剰水を多く残して炊き上がりご飯の含水率を上げ、規定加水量の場合より硬くなってしまうご飯の炊き上がり硬さを軟らかい方向へと補正することができる。
【００５４】
なお、むらし工程でのむらし温度の変更方法は、加熱手段４の加熱量の調整によるものでも良いし、むらし温度に保つために温度一定制御を行っても良い。加熱手段４の加熱量の調整は、電力値を一定として通電割合を変化させる通電率によるものでも良いし、通電率は一定に保って加熱手段４の電力値を変更するような制御方法でも良い。
【００５５】
このように実施の形態８の炊飯器１では、温度上昇状況の比較結果に基づき加水量のバラツキの炊き上がりへの影響を補正して、最適な炊飯結果に近づけることで美味しいご飯を炊き上げることが可能となる。
【００５６】
実施の形態９．
図２８は、実施の形態９に係る炊飯器１の炊飯米量と経過時間τ１との関係を表すグラフであり、実施の形態４で説明した図１８に炊飯米量が１．０合の場合を例にして異常時の制御について追加した。図２８において、炊飯米量が１．０合の場合、規定加水量である±０ｍｍを経過時間τ１（０）、規定加水量を示す水位目盛から「＋２ｍｍ」水位が高かった場合を経過時間τ１（ａ）とし、規定加水量を示す水位目盛から「−２ｍｍ」水位が低かった場合を経過時間τ１（ｂ）とする。もし加水量が＋２ｍｍを超えていたり、−２ｍｍを下回っていたりした場合、想定された補正可能な範囲を外れてしまっており適正な補正制御結果を得ることはできないので、この場合は異常と判断して規定加水量である±０ｍｍにおける制御に移行させる。
【００５７】
なお、実施の形態１で説明したように、各加水量に対応する特性の範囲に±０．５ｍｍの幅を設定したような場合は、＋２．５ｍｍを超える場合、及び−２．５ｍｍを下回る場合に同様の制御とすれば良い。
【００５８】
このように実施の形態９の炊飯器１では、炊飯米量に対応する加水量が想定された補正可能な範囲を外れてしまっており、適正な補正制御結果を得ることができないような場合は異常と判断して、規定加水量である±０ｍｍにおける制御に移行させるので、過剰な補正制御で過熱してしまうようなことや、逆に加熱手段４の加熱量が少な過ぎて炊き上がりご飯が生炊けとなってしまうような不具合の発生が無く安全である。
【００５９】
具体的には、図８の場合には、例えば、経過時間ｔ１が１．５分以下、及び、３．５分以上を設け、その場合には、エラーとして、制御を標準通電割合にするように設定し、図９のフローチャートで、ｔ１＞１．５分、３．５分＞ｔ１の場合分けを追加することで実現可能である。
【００６０】
図１２の場合には、例えば、３分経過後温度Ｔ１が９０℃以上、及び、６０℃以下を設け、その場合には、エラーとして、制御を標準通電割合にするように設定し、図１３のフローチャートで、９０℃＞Ｔ１、Ｔ１＞６０℃の場合分けを追加することで実現可能である。
【００６１】
図１５の場合には、例えば、３分と６分との温度差Ｔ２が２０℃以上、及び、５℃以下を設け、その場合には、エラーとして、制御を標準通電割合にするように設定し、図１６のフローチャートで、２０℃＞Ｔ２、Ｔ２＞５℃の場合分けを追加することで実現可能である。
【００６２】
図１９の場合には、例えば、経過時間τ１が２分以下、及び、５分以上を設け、その場合には、エラーとして、制御を標準通電割合にするように設定し、図２０のフローチャートで、τ１＞５分、２分＞τ１の場合分けを追加することで実現可能である。
【００６３】
実施の形態１０．
これまで説明した内釜温度検知手段６及び蓋温度検知手段７により検知される内釜温度や蓋温度と時間の関係は、全て温度上昇率として捉えることができる。例えば、内釜温度検知手段６による内釜温度の所定温度間の温度差とその経過時間の関係を考えると、経過時間に対する温度差（温度上昇率＝温度差／経過時間）で表現できる。内釜温度検知手段６が所定温度を検知してから、蓋温度検知手段７が所定温度を検知するまでの経過時間の関係では、経過時間の大小が温度上昇率を表すことになるが、この場合は経過時間が小さい場合に温度上昇率が大きく、経過時間が大きい場合に温度上昇率が小さいと解釈することができる。内釜温度検知手段６が所定温度を検知してから所定時間後の内釜温度検知手段６の内釜温度、あるいは蓋温度検知手段７の蓋温度についても同様で、所定時間に対する内釜温度検知手段６の温度差や、所定時間に対する内釜温度検知手段６と蓋温度検知手段７の検知温度の温度差から温度上昇率を求めて判定することができる。
【００６４】
炊飯毎に測定される温度上昇率は、炊飯器本体２の周囲の環境条件や、炊飯のために内釜５内に収容される被加熱物の特性によって変化する。例えば、炊飯器本体２の周囲温度、海抜高度、水温、電源電圧や電力バラツキ、米の銘柄や保存状態等である。従って、これら諸条件に対して、温度上昇率の比較結果を適宜調整することが望ましい。炊飯器本体２の周囲温度を例にすると、周囲温度が低い場合には温度上昇率が小さくなったり、周囲温度が高い場合には逆に温度上昇率が大きくなったりすると考えられるので、周囲温度を数段階に区分して、各区分毎に炊飯毎に測定される温度上昇率の比較結果を調整すると良い。
【００６５】
次に、実施の形態１０における炊飯器１の炊飯制御に関し、図２９のフローチャートに基づいて説明する。図２９は、図９のフローチャートに周囲温度の違いによる温度上昇率の比較結果を調整する制御を追加したものである。まず、使用者は、設定キー３４を操作し、炊飯条件と炊飯米量を入力する（Ｓ１）。例えば、炊飯米量を１．０合にするとかである。次に、使用者は、炊飯キー３１を押し、炊飯が開始される（Ｓ２）。
【００６６】
ここで、制御手段４３は、炊飯器本体２の周囲温度を測定する（Ｓ５１）。測定は、周囲温度測定用の専用の検知手段を設けても良いし、前記内釜温度検知手段６や前記蓋温度検知手段７と兼用しても良い。炊飯キー３１が押され、炊飯が開始した直後のまだ加熱手段４の加熱による各部の温度上昇の影響を受けていないタイミングでは可能と考えられる。
続いて、制御手段４３は炊飯条件に基づき、加熱手段４を動作させて予熱工程を行い（Ｓ３）、次に、加熱手段４の電力量を上げて、内釜５内の温度を上げるとともに、内釜温度検知手段６で内釜底面の温度検知を開始、内釜温度検知手段６で検知された温度が６０℃になった時点でタイマーにより計時を開始し、７５℃になった時点で終了させることで、６０℃から７５℃になるまでの時間を測定する（Ｓ４）。
【００６７】
Ｓ５２では、測定された周囲温度が５℃未満か否かが判定され、５℃未満と判定された場合（Ｙｅｓ）はＳ６５へ、５℃未満ではない（Ｎｏ）、つまり５℃以上の場合はＳ５３へ移行する。Ｓ５３では、測定された周囲温度が３０℃未満か否かが判定され、３０℃未満と判定された場合（Ｙｅｓ）はＳ５へ、一方、周囲温度が３０℃未満ではない（Ｎｏ）、つまり３０℃以上の場合はＳ７５へと移行する。
【００６８】
Ｓ５２とＳ５３で３つに区分された中の、周囲温度が５℃以上３０℃未満の場合であるＳ５以降の制御を最初に説明する。Ｓ５以降の制御は図９のＳ５以降と同じ内容であり、周囲温度が常温付近の場合の例としている。制御手段４３は、図８の表を参考に、測定した経過時間ｔ１が２分を超えるか否か（Ｓ５）、及び、３分未満か否かを判断する（Ｓ６）。
Ｓ５で、測定した経過時間ｔ１が２分以下の場合には、下限範囲外であるため、その後の沸騰維持工程での通電割合を標準通電割合よりΔａ小さくする（Ｓ７）。また、Ｓ６で、経過時間ｔ１が３分以上の場合には、上限範囲外であるため、その後の沸騰維持工程での通電割合を標準通電割合よりΔｂ大きくする（Ｓ９）。また、経過時間ｔ１が、２分から３分の間の場合には、標準範囲であるため、その後の沸騰維持工程での通電割合を標準通電割合とする（Ｓ８）。
【００６９】
その後、Ｓ７〜Ｓ９で設定された通電割合で、その後の沸騰維持工程を実行し（Ｓ１０）、その後、むらし工程を行い（Ｓ１１）、炊飯が終了することになる。
次に、周囲温度が５℃未満と判定された場合のＳ６５以降の制御について説明する。制御手段４３は、図示しないが図８に相当する表を参考に、測定した経過時間ｔ１が１分を超えるか否か（Ｓ６５）、及び、１．５分未満か否かを判断する（Ｓ６６）。
Ｓ６５で、測定した経過時間ｔ１が１分以下の場合には、下限範囲外であるため、その後の沸騰維持工程での通電割合を標準通電割合よりΔａ小さくする（Ｓ７）。また、Ｓ６６で、経過時間ｔ１が１．５分以上の場合には、上限範囲外であるため、その後の沸騰維持工程での通電割合を標準通電割合よりΔｂ大きくする（Ｓ９）。また、経過時間ｔ１が、１分から１．５分の間の場合には、標準範囲であるため、その後の沸騰維持工程での通電割合を標準通電割合とする（Ｓ８）。
【００７０】
その後、Ｓ７〜Ｓ９で設定された通電割合で、その後の沸騰維持工程を実行し（Ｓ１０）、その後、むらし工程を行い（Ｓ１１）、炊飯が終了することになる。
次に、周囲温度が３０℃以上と判定された場合のＳ７５以降の制御について説明する。制御手段４３は、図示しないが図８に相当する表を参考に、測定した経過時間ｔ１が３分を超えるか否か（Ｓ７５）、及び、４．５分未満か否かを判断する（Ｓ７６）。
Ｓ７５で、測定した経過時間ｔ１が３分以下の場合には、下限範囲外であるため、その後の沸騰維持工程での通電割合を標準通電割合よりΔａ小さくする（Ｓ７）。また、Ｓ７６で、経過時間ｔ１が４．５分以上の場合には、上限範囲外であるため、その後の沸騰維持工程での通電割合を標準通電割合よりΔｂ大きくする（Ｓ９）。また、経過時間ｔ１が、３分から４．５分の間の場合には、標準範囲であるため、その後の沸騰維持工程での通電割合を標準通電割合とする（Ｓ８）。
【００７１】
その後、Ｓ７〜Ｓ９で設定された通電割合で、その後の沸騰維持工程を実行し（Ｓ１０）、その後、むらし工程を行い（Ｓ１１）、炊飯が終了することになる。
ここでは、周囲温度が５℃未満の場合は、測定した経過時間ｔ１が１〜１．５分の間を標準範囲とし、１分以下を下限範囲外、１．５分以上を上限範囲外とし、周囲温度が５℃以上３０℃未満の場合は、測定した経過時間ｔ１が２〜３分の間を標準範囲とし、２分以下を下限範囲外、３分以上を上限範囲外とし、周囲温度が３０℃以上の場合は、測定した経過時間ｔ１が３〜４．５分の間を標準範囲とし、３分以下を下限範囲外、４．５分以上を上限範囲外としている。周囲温度が低い場合に温度上昇率が小さくなったり、周囲温度が高い場合には逆に温度上昇率が大きくなったりした時にも、最適な補正制御となっている。
【００７２】
このように実施の形態１０の炊飯器１では、炊飯器本体２の周囲の環境条件や、炊飯のために内釜５内に収容される被加熱物の特性等の諸条件に対して、温度上昇状況の比較結果を適宜調整するので、比較結果のバラツキが無く、常に正確な補正制御による炊飯結果を得ることができる。
【００７３】
実施の形態１１．
前述したように、炊飯米量に対応する規定加水量からの加水量のバラツキによる炊飯への影響は、炊飯米量が少ない場合の方が大きく、炊飯米量が多い場合の方が小さくなる。従って、炊飯米量設定手段３４ａでの米量の設定の範囲を、補正制御の効果の期待できる、例えば２．０合までの少量に限定する仕様としても良い。
【００７４】
このような実施の形態１１の炊飯器１では、炊飯米量設定手段３４ａでの米量の設定の範囲を限定しているので、「０．５合」「１．０合」…「５．５合」というように選択肢が多数となり操作が複雑となることなく操作性が向上する。更に、少量側に限定していることで、補正制御の効果を顕著に得ることができ、操作性と炊飯性能の向上を両立することが可能となる。
【００７５】
この発明は、上述した実施の形態に限定されることなく、発明の趣旨の範囲で適宜変更が可能である。例えば、実施の形態２と実施の形態６、７等を組み合わせて、上限範囲外の場合に、沸騰維持工程での通電割合を大きくするとともに、炊飯完了温度を高くしたり、さらに、むらし工程での電力量を大きくする等、しても良い。
【符号の説明】
【００７６】
１  炊飯器、  ２  本体、  ３  蓋体、  ４  加熱手段  ５  内釜  ６  内釜温度検知手段  ７  蓋温度検知手段  ３４  設定キー  ３４ａ  炊飯米量設定手段  ４１  入力手段  ４２  表示手段  ４３  制御手段。
【図１】
2020130944.tif 000003
【図２】
2020130944.tif 000004
【図３】
2020130944.tif 000005
【図４】
2020130944.tif 000006
【図５】
2020130944.tif 000007
【図６】
2020130944.tif 000008
【図７】
2020130944.tif 000009
【図８】
2020130944.tif 000010
【図９】
2020130944.tif 000011
【図１０】
2020130944.tif 000012
【図１１】
2020130944.tif 000013
【図１２】
2020130944.tif 000014
【図１３】
2020130944.tif 000015
【図１４】
2020130944.tif 000016
【図１５】
2020130944.tif 000017
【図１６】
2020130944.tif 000018
【図１７】
2020130944.tif 000019
【図１８】
2020130944.tif 000020
【図１９】
2020130944.tif 000021
【図２０】
2020130944.tif 000022
【図２１】
2020130944.tif 000023
【図２２】
2020130944.tif 000024
【図２３】
2020130944.tif 000025
【図２４】
2020130944.tif 000026
【図２５】
2020130944.tif 000027
【図２６】
2020130944.tif 000028
【図２７】
2020130944.tif 000029
【図２８】
2020130944.tif 000030
【図２９】
2020130944.tif 000031